(57)【要約】【課題】火災時にも上げ下げ窓の上障子を上框で保持した状態を維持することのできる開口部装置を提供する。【解決手段】上框２０は、金属上框２０ａの室内側を覆うように樹脂上框２０ｂを一体化してなると共に、内周側に閉じた状態の上障子３０の上部を納める凹状部２０ｃを有し、凹状部２０ｃは、上障子３０の室外側面と対向する室外側壁２０ｆと、上障子３０の室内側面と対向する室内側壁２０ｅとを有し、室外側壁２０ｆは金属上框２０ａにより形成され、室内側壁２０ｅは樹脂上框２０ｂにより形成され、凹状部２０ｃには上障子３０の室内側面と対向する対向面部２４ｂを有した金属製の倒れ止め部品２４が設けられ、倒れ止め部品２４は金属上框２０ｂに対して固定される。【選択図】図５
2014118699.tif 000002
【特許請求の範囲】
【請求項１】
枠体内に上框と下框及び縦框を框組みしてなる框体を有する障子を納めてなり、前記框
体には上障子と下障子とを納めた開口部装置において、
前記上框は、金属上框の室内側を覆うように樹脂上框を一体化してなると共に、内周側
に閉じた状態の前記上障子の上部を納める凹状部を有し、
前記凹状部は、前記上障子の室外側面と対向する室外側壁と、前記上障子の室内側面と
対向する室内側壁とを有し、前記室外側壁は前記金属上框により形成され、前記室内側壁
は前記樹脂上框により形成され、
前記凹状部には前記上障子の室内側面と対向する対向面部を有した金属製の倒れ止め部
品が設けられ、該倒れ止め部品は前記金属上框に対して固定されることを特徴とする開口
部装置。
【請求項２】
前記倒れ止め部品は、前記金属上框の内周面に当接固定される固定面部と、該固定面部
から下方に伸びる前記対向面部とが一体的に形成されてなり、前記対向面部は前記室内側
壁の室外側面に沿うように形成されることを特徴とする請求項１記載の開口部装置。
【請求項３】
前記固定面部は前記金属上框の内周面に対して固定され、前記樹脂上框は、前記固定面
部を内周側から被覆する被覆面部を有してなることを特徴とする請求項２記載の開口部装
置。
【請求項４】
前記倒れ止め部品は短尺状に形成され、前記金属上框の長手方向に複数設けられること
を特徴とする請求項１〜３のいずれか１項に記載の開口部装置。
【請求項５】
前記倒れ止め部品は少なくとも前記金属上框の両端近傍に配置されることを特徴とする
請求項４記載の開口部装置。
【発明の詳細な説明】
【技術分野】
【０００１】
本発明は、枠体内に障子を納め、障子は框体に上げ下げ窓を納めてなる開口部装置に関
し、特に火災発生時に障子を構成する樹脂部材が溶融しても、上げ下げ窓を構成する上障
子を框体に保持した状態を維持することのできる開口部装置に関する。
【背景技術】
【０００２】
建物開口部に設けられる枠体内に障子を納め、障子内に上げ下げ窓を設けた開口部装置
において、障子は、上框と下框及び縦框を方形状に框組みしてなる框体内に、上げ下げ窓
を納めて構成される。框体は、吊り元側において上下で回動自在に支持され、戸先側を開
放することができる。
【０００３】
上げ下げ窓には上下障子が設けられ、これらは連動して上下し、それによって障子を閉
じたままでも内部障子を開いて採風などをなすことができるように構成される。このよう
な障子を備えた開口部装置としては、例えば特許文献１に挙げるようなものがある。
【先行技術文献】
【特許文献】
【０００４】
【特許文献１】特開２０１２−８７５０９号公報
【発明の概要】
【発明が解決しようとする課題】
【０００５】
障子を構成する框材について、金属材の室内側露出部分を樹脂材で覆うことにより、意
匠性及び断熱性を高くすることができる。一方、火災が発生して開口部装置が高温に晒さ
れると、樹脂材は溶融して脱落する。
【０００６】
框材のうち上框は、金属材の部分で上げ下げ窓を構成する上障子上端部の室外側を保持
し、樹脂材の部分で上障子上端部の室内側を保持する構造となっている。このため、火災
時に樹脂材が溶融、脱落すると、上框で上障子を保持できなくなり、上障子が室内側に脱
落するおそれがある。
【０００７】
本発明は前記課題を鑑みてなされたものであり、火災時にも上げ下げ窓の上障子を上框
で保持した状態を維持することのできる開口部装置を提供することを目的とする。
【課題を解決するための手段】
【０００８】
前記課題を解決するため、請求項１の発明に係る開口部装置は、枠体内に上框と下框及
び縦框を框組みしてなる框体を有する障子を納めてなり、前記框体には上障子と下障子と
を納めた開口部装置において、
前記上框は、金属上框の室内側を覆うように樹脂上框を一体化してなると共に、内周側
に閉じた状態の前記上障子の上部を納める凹状部を有し、
前記凹状部は、前記上障子の室外側面と対向する室外側壁と、前記上障子の室内側面と
対向する室内側壁とを有し、前記室外側壁は前記金属上框により形成され、前記室内側壁
は前記樹脂上框により形成され、
前記凹状部には前記上障子の室内側面と対向する対向面部を有した金属製の倒れ止め部
品が設けられ、該倒れ止め部品は前記金属上框に対して固定されることを特徴として構成
されている。
【０００９】
請求項１に係る発明によれば、火災時に樹脂上框が脱落して室内側壁が失われても、金
属上框に固定された倒れ止め部品によって上障子を脱落しないように保持することができ
る。
【００１０】
また、請求項２の発明に係る開口部装置は、前記倒れ止め部品は、前記金属上框の内周
面に当接固定される固定面部と、該固定面部から下方に伸びる前記対向面部とが一体的に
形成されてなり、前記対向面部は前記室内側壁の室外側面に沿うように形成されることを
特徴として構成されている。
【００１１】
請求項２に係る発明によれば、簡単な構造で対向面部を上障子の室内側面と対向させる
ことができる。
【００１２】
さらに、請求項３の発明に係る開口部装置は、前記固定面部は前記金属上框の内周面に
対して固定され、前記樹脂上框は、前記固定面部を内周側から被覆する被覆面部を有して
なることを特徴として構成されている。
【００１３】
請求項３に係る発明によれば、樹脂上框で固定面部を隠して、意匠性を向上させること
ができると共に、断熱性も高くすることができる。
【００１４】
さらにまた、請求項４の発明に係る開口部装置は、前記倒れ止め部品は短尺状に形成さ
れ、前記金属上框の長手方向に複数設けられることを特徴として構成されている。
【００１５】
請求項４に係る発明によれば、倒れ止め部品によって金属上框の強度を大きくし、火災
時に金属上框の反りを抑制することができる。
【００１６】
そして、請求項５の発明に係る開口部装置は、前記倒れ止め部品は少なくとも前記金属
上框の両端近傍に配置されることを特徴として構成されている。
【００１７】
請求項５に係る発明によれば、火災時において確実に上障子を支持し、脱落を防止する
ことができる。
【発明の効果】
【００１８】
本発明に係る開口部装置によれば、框体の金属部分に固定された倒れ止め部品によって
、火災時にも上げ下げ窓の上障子を上框で保持した状態を維持することができ、防火性能
を高くすることができる。
【図面の簡単な説明】
【００１９】
【図１】本実施形態における開口部装置としての上げ下げ窓内蔵ドアの正面図である。
【図２】開口部装置の縦断面図である。
【図３】開口部装置の横断面図である。
【図４】戸先側縦框の内周側から見た側面図である。
【図５】図２のうち障子の上框と上障子の上框付近の拡大図である。
【図６】上框の正面図である。
【図７】火災発生時における障子の上框と上障子の上框付近の拡大図である。
【図８】戸先側縦框と下框との連結部分付近を室外側から見た斜視図である。
【図９】連結部品の側面図と連結部品の背面図である。
【発明を実施するための形態】
【００２０】
本発明の実施形態について図面に沿って詳細に説明する。図１には、本実施形態におけ
る開口部装置としての上げ下げ窓内蔵ドアの正面図を示している。本実施形態の開口部装
置は、建物開口部に設けられる枠体１内に障子２を開閉自在となるように納め、障子２に
は上障子３０と下障子３５とを上下に移動自在とした上げ下げ窓４を納めて構成された上
げ下げ窓内蔵ドアである。障子２は、図１において左側が吊り元側、右側が戸先側となっ
ていて、吊り元側の縦辺を中心に戸先側を室外側に向かって開放できるようになっている
。
【００２１】
枠体１は、上下辺を構成する上枠１０及び下枠１１と、左右の縦辺を構成する吊り元側
縦枠１２及び戸先側縦枠１３とを、方形状に枠組みして構成される。障子２を構成する框
体３は、上下辺を構成する上框２０及び下框２１と、左右の縦辺を構成する吊り元側縦框
２２及び戸先側縦框２３とを、方形状に框組みして構成される。
【００２２】
框体３を構成する戸先側縦框２３には、室内外面にそれぞれ開閉操作のためのハンドル
５が設けられている。また、ハンドル５の上下には、それぞれロック部６，６が設けられ
ている。
【００２３】
図２には開口部装置の縦断面図を、図３には開口部装置の横断面図を、それぞれ示して
いる。障子２は、上下の軸部８により枠体１に対し回動自在とされると共に、枠体１と障
子２とはドアクローザー７により連結されている。框体３内に納められる上障子３０と下
障子３５は、それぞれ上框４２と下框４３及び左右の縦框４４，４４を方形状に框組みし
てなる框体４０内に、複層ガラス板からなるパネル体４１を納めて構成されている。
【００２４】
框体３の室外側面には網戸９が設けられている。網戸９は、網戸枠６０内に網部６１を
配置してなり、網戸枠６０は上框２０と下框２１、吊り元側縦框２２及び戸先側縦框２３
により形成される框体３の開口部分の縁部に取付けられ、網部６１は框体３の開口部分全
体を室外側から覆うように設けられる。
【００２５】
上枠１０は、アルミ製の金属上枠１０ａの室内側露出部分を覆うように樹脂製の樹脂上
枠１０ｂが一体化されている。金属上枠１０ａは、障子２の上辺周面と対向する内周面１
０ｃを有している。内周面１０ｃの室内側には、見付方向内側、すなわち下方に向かって
突出する室内側突部１０ｄが形成されている。室内側突部１０ｄは、金属上枠１０ａ及び
樹脂上枠１０ｂによって形成されている。室内側突部１０ｄは、障子２を構成する上框２
０の室内側面と対向し、先端部には上框２０の室内側面に対して当接する気密材１０ｅが
長手方向に沿って設けられている。
【００２６】
下枠１１は、アルミ製の金属下枠１１ａの室内側露出面を覆うように樹脂製の樹脂下枠
１１ｂが一体化されている。金属下枠１１ａは、障子２の下辺周面と対向する内周面１１
ｃを有している。内周面１１ｃの室内側には、見付方向内側、すなわち上方に向かって突
出する室内側突部１１ｄが形成されている。室内側突部１１ｄは、金属下枠１１ａ及び樹
脂下枠１１ｂによって形成されている。
【００２７】
室内側突部１１ｄに設けられた樹脂下枠１１ｂの上面は、枠体１の室内側に設けられる
床材と略面一状となる敷居面部１１ｆを構成している。室内側突部１１ｄは、障子２を構
成する下框２１の室内側面と対向し、先端部には下框２１の室内側面に対して当接する気
密材１１ｅが長手方向に沿って設けられている。
【００２８】
吊り元側縦枠１２は、アルミ製の金属吊り元側縦枠１２ａの室内側露出面を覆うように
樹脂製の樹脂吊り元側縦枠１２ｂが一体化され、戸先側縦枠１３も、アルミ製の金属戸先
側縦枠１３ａの室内側露出面を覆うように樹脂製の樹脂戸先側縦枠１３ｂが一体化されて
いる。
【００２９】
上框２０は、アルミ製の金属上框２０ａの室内側面を樹脂製の樹脂上框２０ｂが覆って
おり、下框２１も、アルミ製の金属下框２１ａの室内側面を樹脂製の樹脂下框２１ｂが覆
っている。さらには、吊り元側縦框２２は、アルミ製の金属吊り元側縦框２２ａの室内側
面を樹脂製の樹脂吊り元側縦框２２ｂが覆っており、戸先側縦框２３も、アルミ製の金属
戸先側縦框２３ａの室内側面を樹脂製の樹脂戸先側縦框２３ｂが覆っている。
【００３０】
上障子３０と下障子３５は、閉じた状態において面一状となるように配置されている。
この状態から、下障子３５は下辺側を中心に上辺側を内倒し自在となっており、内倒し状
態となった下障子３５はさらに上方にスライド自在とされている。さらに、下障子３５の
スライドに連動して、上障子３０が下方にスライドし、上げ下げ窓が開いた状態となる。
【００３１】
下障子３５の上框４２には、該上框４２から上障子３０の下框４３に渡って伸びる樹脂
製の引き手部４２ａが設けられている。引き手部４２ａは、下障子３５を室内側に倒す動
作及び上下方向にスライドさせる動作を、手で持って行うために設けられる。
【００３２】
上障子３０と下障子３５は、いずれも障子２の框体３を構成する吊り元側縦框２２及び
戸先側縦框２３の内周面に側部が案内されることで、開閉することができる。図４には、
戸先側縦框２３の内周側から見た側面図を示している。戸先側縦框２３の内周面２３ａに
は、下端部に下障子３５を案内する樹脂製のガイド部品５０が設けられる。
【００３３】
ガイド部品５０は、下障子３５の下端側部に設けられる案内凸部を案内する斜め案内溝
５０ａを有している。斜め案内溝５０ａは、内倒し状となった下障子３５を、見込方向に
おいて上障子３０と同じ位置から、上障子３０の室内側の位置まで案内するように、傾斜
状に形成されている。戸先側縦框２３の内周面２３ａには、長手方向に沿って凹状の縦案
内溝２３ｂが形成されており、ガイド部品５０の斜め案内溝５０ａは、戸先側縦框２３の
縦案内溝２３ｂと端部が連続状となっている。斜め案内溝５０ａによって室内側に案内さ
れた下障子３５の案内凸部は、縦案内溝２３ｂによって上下方向にさらに案内される。
【００３４】
戸先側縦框２３の内周面２３ａには、さらに滑車部材５１が設けられている。滑車部材
５１は、滑車部５１ａによって下障子連結部５１ｂと上障子連結部５１ｃとを支持してな
り、下障子連結部５１ｂには下障子３５が、上障子連結部５１ｃには上障子３０が、それ
ぞれ連結されて、下障子３５の上下動に連動して上障子３０も上下動するように構成され
ている。ここでは戸先側縦框２３について説明したが、吊り元側縦框２２にも同様にガイ
ド部品５０や滑車部材５１が設けられて、上障子３０と下障子３５の側部を案内する。
【００３５】
図５には、図２のうち障子２の上框２０と上障子３０の上框４２付近の拡大図を示して
いる。上框２０の内周側には、上障子３０の上端部を納める凹状部２０ｃが形成されてい
る。凹状部２０ｃは、底壁２０ｄと室内側壁２０ｅ及び室外側壁２０ｆによって形成され
ている。このうち室外側壁２０ｆは金属上框２０ａによって形成され、室内側壁２０ｅは
樹脂上框２０ｂによって形成され、底壁２０ｄは金属上框２０ａと樹脂上框２０ｂとが重
合して形成されている。樹脂上框２０ｂは、凹状部２０ｃを構成する室内側壁２０ｅより
室内側に中空部２０ｇを有している。
【００３６】
凹状部２０ｃを構成する室内側壁２０ｅの先端部には、対向する上障子３０の室内側面
に当接するモヘア材２０ｉが保持されている。また、凹状部２０ｃを構成する室外側壁２
０ｆの先端部には、対向する上障子３０の室外側面に当接する気密材２０ｋが保持されて
いる。
【００３７】
上框２０の凹状部２０ｃ内には、金属製の倒れ止め部品２４が設けられる。倒れ止め部
品２４は、金属上框２０ａの内周面に対して当接しネジ止め固定される固定面部２４ａと
、固定面部２４ａから下方に伸びる対向面部２４ｂとを有している。対向面部２４ｂは、
樹脂上框２０ｂの室外側面に沿って伸びており、閉じた状態の上障子３０の室内側面と対
向する。
【００３８】
樹脂上框２０ｂは、金属上框２０ａの内周面に沿って室外側に伸びる被覆面部２０ｈを
有しており、この被覆面部２０ｈにより倒れ止め部品２４の固定面部２４ａを内周側から
覆っている。これによって、倒れ止め部品２４の固定面部２４ａが露出しないようにして
、意匠性を向上させている。
【００３９】
図６には、上框２０の正面図を示している。この図に示すように、倒れ止め部品２４は
短尺状の部材からなり、これが上框２０の両端部及び中央部にそれぞれ配置され、固定さ
れる。倒れ止め部品２４が配置される位置は、図１にも表れている。
【００４０】
図７には、火災発生時における障子２の上框２０と上障子３０の上框４２付近の拡大図
を示している。火災が発生して開口部装置が高温に晒されると、樹脂からなる樹脂上框２
０ｂは軟化し、金属上框２０ａに対する固定強度が低下して、やがて脱落する。このため
、上障子３０の室内側面と対向する凹状部２０ｃの室内側壁２０ｅが失われることになる
。
【００４１】
上障子３０は摺動性を良好にするため、樹脂材の部品によって吊り元側縦框２２や戸先
側縦框２３に対し見込方向への移動が規制されているが、火災時には樹脂材の部品も失わ
れる。このため、凹状部２０ｃの室内側壁２０ｅが失われることにより、上障子３０の見
込方向に対する支持が失われ、室内側に傾倒し脱落する可能性がある。
【００４２】
一方で、金属上框２０ａに固定された倒れ止め部品２４は、火災時にもそのまま残り、
対向面部２４ｂが上障子３０の室内側面と対向しているので、上障子３０が室内側に傾倒
しても脱落することを防止することができる。上障子３０の脱落を防止したことで、防火
性能の低下を招くことを防ぐことができる。さらに、倒れ止め部品２４を設けることによ
って、金属の型材からなる金属上框２０ａを室内側まで伸ばす必要がないので、断熱性能
を高くすることができると共に、コスト低減も図ることができる。
【００４３】
また、倒れ止め部品２４が金属上框２０ａの複数箇所に固定されていることにより、金
属上框２０ａの強度を大きくすることができる。火災時には、金属上框２０ａに反りが発
生しやすくなるが、倒れ止め部品２４によって金属上框２０ａの強度を大きくしているこ
とにより、反りを抑制することもできる。
【００４４】
図１に示すように、横框である上框２０と下框２１は、それぞれ端面が縦框である吊り
元側縦框２２と戸先側縦框２３の側面に突き当てられて連結されている。図２に示すよう
に、下障子３５の下辺を納めるように形成された下框２１の凹状部２１ｃは、凹状部２１
ｃの外周側を構成する外周側部２１ｅよりも見込方向幅が大きくなるように形成されてい
る。また、図３に示すように、上障子３０と下障子３５の縦辺を納めるように形成された
戸先側縦框２３の凹状部２３ｃは、凹状部２３ｃの外周側を構成する外周側部２３ｅより
も見込方向幅が大きくなるように形成されている。
【００４５】
図８には、戸先側縦框２３と下框２１との連結部分付近を室外側から見た斜視図を示し
ている。この図に示すように、下框２１の端部は、凹状部２１ｃの端面２１ｄが外周側部
２１ｅの端面２１ｆよりも下框２１の長手方向中央寄りとなるように切り欠かれている。
また、戸先側縦框２３の端部も、凹状部２３ｃの側面２３ｄが外周側部２３ｅの側面２３
ｆよりも戸先側縦框２３の長手方向中央寄りとなるように切り欠かれている。
【００４６】
そして、下框２１を構成する凹状部２１ｃの端面２１ｄは、戸先側縦框２３を構成する
凹状部２３ｃの側面２３ｄに、下框２１を構成する外周側部２１ｅの端面２１ｆは、戸先
側縦框２３を構成する外周側部２３ｅの側面２３ｆに、それぞれ突き当てられて連結され
ている。
【００４７】
下框２１の凹状部２１ｃと戸先側縦框２３の凹状部２３ｃの突き当て部分には、スチー
ル製の連結部品２５が取付固定される。図９には、連結部品２５の側面図（図９（ａ））
と連結部品２５の背面図（図９（ｂ））を示している。連結部品２５は、下框２１を構成
する凹状部２１ｃの端部室外側面から戸先側縦框２３を構成する凹状部２３ｃの端部室外
側面に渡って被覆する被覆面部２５ａと、被覆面部２５ａの一辺に設けられる側面部２５
ｂとを有して構成されている。側面部２５ｂは、下框２１と戸先側縦框２３の突き当て部
分のうち、凹状部２１ｃ，２３ｃと外周側部２１ｅ，２３ｅとの間の段差部分を被覆する
。
【００４８】
連結部品２５の被覆面部２５ａには、背面側に加熱発泡材２５ｃが設けられている。加
熱発泡材２５ｃは、連結部品２５を下框２１と戸先側縦框２３の連結部分に取付けた際に
、下框２１の端面２１ｄと戸先側縦框２３の側面２３ｄとの突き当て部分に対向するよう
に配置されている。また、連結部品２５の側面部２５ｂにも、加熱発泡材２５ｃが配置さ
れている。
【００４９】
図８に示すように、連結部品２５は下框２１と戸先側縦框２３に対して室外側から取付
けられて、両方にそれぞれネジ止め固定される。框体３の室外面には、前述のように網戸
枠６０が取付固定されるので、この網戸枠６０によって連結部品２５を室外側から見えな
いように隠すことができる。
【００５０】
火災が発生して開口部装置が高温に晒された場合には、下框２１と戸先側縦框２３の連
結部分において、戸先側縦框２３の凹状部２３ｃを形成する室外側面が、めくれるように
変形し、下框２１との間に隙間を生じることがある。戸先側縦框２３と下框２１の間に隙
間が生じると、それらのすぐ室内側に配置されている樹脂製のガイド部品５０が、直接、
熱や炎に晒されて発火するおそれがある。
【００５１】
これに対し、高温に晒されても変形しにくいスチール製の連結部品２５が設けられてい
ることにより、下框２１と戸先側縦框２３の連結部分を強固に固定し、両者の間に隙間を
生じさせないようにすることができて、開口部装置の防火性能を向上させることができる
。
【００５２】
また、連結部品２５の背面側に加熱発泡材２５ｃが設けられ、加熱発泡材２５ｃは下框
２１の端面２１ｄと戸先側縦框２３の側面２３ｄとの突き当て部分に対向して配置されて
いることにより、火災時に下框２１の端面２１ｄと戸先側縦框２３の側面２３ｄとの間に
仮に隙間が生じたとしても、発泡した加熱発泡材２５ｃによって隙間を塞ぎ、室内側のガ
イド部品５０など樹脂部品が直接、熱や炎に晒されないようにすることができるので、開
口部装置の防火性能をより一層高くすることができる。
【００５３】
以上、本発明の実施形態について説明したが、本発明の適用はこれらの実施形態には限
られず、その技術的思想の範囲内において様々に適用されうるものである。第１及び第１
の実施形態の開口部装置では、障子が上下のピボットにより枠体に対し回動自在に支持さ
れているが、障子の吊り元側に蝶番を設けて枠体に対し回動自在となるようにしてもよい
。
【符号の説明】
【００５４】
１    枠体
２    障子
３    框体
４    上げ下げ窓
９    網戸
１０    上枠
１１    下枠
１２    吊り元側縦枠
１３    戸先側縦枠
２０    上框
２０ａ  金属上框
２０ｂ  樹脂上框
２０ｃ  凹状部
２０ｄ  底壁
２０ｅ  室内側壁
２０ｆ  室外側壁
２０ｇ  中空部
２０ｈ  被覆面部
２１    下框
２１ａ  金属下框
２１ｂ  樹脂下框
２１ｃ  凹状部
２１ｄ  端面
２１ｅ  外周側部
２１ｆ  端面
２２    吊り元側縦框
２３    戸先側縦框
２３ａ  内周面
２３ｂ  縦案内溝
２３ｃ  凹状部
２３ｄ  側面
２３ｅ  外周側部
２３ｆ  側面
２４    倒れ止め部品
２４ａ  固定面部
２４ｂ  対向面部
２５    連結部品
２５ａ  被覆面部
２５ｂ  側面部
２５ｃ  加熱発泡材
３０    上障子
３５    下障子
５０    ガイド部品
５１    滑車部材
６０    網戸枠
６１    網部
【図１】
2014118699.tif 000003
【図２】
2014118699.tif 000004
【図３】
2014118699.tif 000005
【図４】
2014118699.tif 000006
【図５】
2014118699.tif 000007
【図６】
2014118699.tif 000008
【図７】
2014118699.tif 000009
【図８】
2014118699.tif 000010
【図９】
2014118699.tif 000011